(57)【要約】【課題】  電熱線からの熱損失を低減し、電池で作動することができる電池式煙草着火装置を提供する。【解決手段】  本発明の電池式煙草着火装置Ａは、煙草ｔの着火端部ｔ１を挿入する挿入孔１１を有するケース体１と、このケース体１の内部に設けられ、着火端部ｔ１に接して該着火端部ｔ１に着火する電熱線２と、この電熱線２は、電池４による給電により加熱するものであり、着火端部ｔ１を挿入孔１１に挿入した状態で、着火端部ｔ１および電熱線２が外部に露出しないように覆われているものである。【選択図】図１
2012097968.tif 000002
【特許請求の範囲】
【請求項１】
煙草の着火端部を挿入する挿入孔を有するケース体と、
このケース体の内部に設けられ、前記着火端部に接して該着火端部に着火する電熱線と、
この電熱線は、電池による給電により加熱するものであり、
前記着火端部を前記挿入孔に挿入した状態で、前記着火端部および前記電熱線が外部に露出しないように覆われていることを特徴とする電池式煙草着火装置。
【請求項２】
電熱線を挟んで挿入孔とは反対側であって、該電熱線に臨むように設けられた耐熱性の壁体と、を備えていることを特徴とする請求項１記載の電池式煙草着火装置。
【請求項３】
電熱線による着火端部の加熱時において、該電熱線の温度は７００℃〜８００℃であることを特徴とする請求項１または２記載の電池式煙草着火装置。
【請求項４】
電池は、単三形または単四形の１本であることを特徴とする請求項１〜３のいずれか１項に記載の電池式煙草着火装置。
【発明の詳細な説明】
【技術分野】
【０００１】
本発明は、煙草に着火する電池式煙草着火装置に係り、特に、電池による給電で容易かつ確実に着火できるように、煙草の着火端部をケース体の挿入孔に挿入した状態で、該着火端部およびこれに接する電熱線が外部に露出しないように覆われているものに関する。
【背景技術】
【０００２】
従来、電源として電池を使用し、この電池によりニクロム線等からなる電熱線を加熱して煙草に着火する電池式煙草着火装置が提案されている（例えば、特許文献１の図１を参照）。
【先行技術文献】
【特許文献】
【０００３】
【特許文献１】特開平７−１９４７３号公報
【発明の概要】
【発明が解決しようとする課題】
【０００４】
しかしながら、上述したような電池式煙草着火装置にあっては、着火の際に着火端部および電熱線が外部に露出している分、電熱線からの輻射伝熱による熱損失が大きく、風が吹いたときなどには、更に空気を介した対流伝熱による熱損失が加わり、より一層電熱線の温度低下を引き起こして着火を困難にする。
【０００５】
他方、電熱線への投入電力を高めて該電熱線の温度低下を抑える場合にあっては、電源となる電池に高い出力が求められ、とりわけマンガン乾電池など、定格電圧１．５Ｖ程度の出力の電池を用いる場合にあっては、複数の電池を直列に接続する必要があり、その結果として電池式煙草着火装置が嵩張ってしまい、持ち運びや使用などに不便を来すという問題点があった。
【０００６】
本発明は、上述した問題点を解決するためになされたものである。
【課題を解決するための手段】
【０００７】
請求項１に係る発明は、煙草の着火端部を挿入する挿入孔を有するケース体と、このケース体の内部に設けられ、前記着火端部に接して該着火端部に着火する電熱線と、この電熱線は、電池による給電により加熱するものであり、前記着火端部を前記挿入孔に挿入した状態で、前記着火端部および前記電熱線が外部に露出しないように覆われている電池式煙草着火装置である。
【０００８】
請求項２に係る発明は、請求項１記載の電池式煙草着火装置において、電熱線を挟んで挿入孔とは反対側であって、該電熱線に臨むように設けられた耐熱性の壁体と、を備えているものである。
【０００９】
請求項３に係る発明は、請求項１または２記載の電池式煙草着火装置において、電熱線による着火端部の加熱時において、該電熱線の温度は７００℃〜８００℃であるものである。
【００１０】
請求項４に係る発明は、請求項１〜３のいずれか１項に記載の電池式煙草着火装置において、電池は、単三形または単四形の１本であるものである。
【発明の効果】
【００１１】
請求項１記載の電池式煙草着火装置によれば、着火端部を挿入孔に挿入した状態で、前記着火端部および電熱線が外部に露出しないように覆われているため、電熱線からの熱損失を低減し、該電熱線の温度低下を防いで容易かつ確実に着火することができ、しかも、電熱線は、電池による給電により加熱するものであるため、持ち運び易く使い勝手がよい。
【００１２】
請求項２記載の発明によれば、請求項１記載の電池式煙草着火装置の効果に加え、電熱線を挟んで挿入孔とは反対側であって、該電熱線に臨むように設けられた耐熱性の壁体と、を備えているため、電熱線からの熱輻射による熱損失をより一層低減することができる。
【００１３】
請求項３記載の発明によれば、請求項１または２記載の電池式煙草着火装置の効果に加え、電熱線による着火端部の加熱時において、該電熱線の温度は７００℃〜８００℃であるため、紙などの可燃物が接しただけでは燃え難い一方で、煙草の吸引時にあっては空気を強制吸気することにより初めて容易に着火させることができ、誤使用による着火の危険性を低減することができる。
【００１４】
請求項４記載の発明によれば、請求項１〜３記載の電池式煙草着火装置の効果に加え、電池は、単三形または単四形の１本であるため、嵩張らない分、より一層持ち運び易く簡便に使用することができる。
【図面の簡単な説明】
【００１５】
【図１】本発明に係る電池式煙草着火装置の概略的縦断面図である。
【図２】図１の概略的分解斜視図である。
【図３】図１の要部を拡大して示した概略的縦断面図である。
【図４】図１の要部を拡大して示した概略的縦断面図であり、図３と垂直方向において直交する方向から見たものである。
【図５】図３のＸ−Ｘ線で切断した概略的横断面図である。
【図６】図１の使用状態を示した概略的斜視図である。
【図７】図１の使用状態を示した概略的縦断面図であり、図４に対応する部位を示したものである。
【発明を実施するための形態】
【００１６】
本発明の一実施例を、図１〜図５を参照して説明する。図１において、Ａは、電池式煙草着火装置であり、電池式煙草着火装置Ａは、同図および図２に示したように、概略的に、ケース体１と、電熱線２と、電池４とにより構成されている。なお、図３〜図５は、図１の要部を拡大して示したものである。
【００１７】
ケース体１は、図１に示したように、仮想線で図示した煙草ｔの着火端部ｔ１を挿入する挿入孔１１を有するもので、この挿入孔１１の内径は、煙草ｔの外径と同程度（直径８ｍｍ〜１０ｍｍ）の大きさに形成され、煙草ｔの着火端部ｔ１を挿入孔１１に挿入した状態で、着火端部ｔ１および電熱線２（後記）が外部に露出しないように覆われている。
【００１８】
また、挿入孔１１は、単なる開口であっても構わないが、図３に示したように、開口縁から電熱線２の方向（煙草ｔの挿入方向）に向かって円筒状の筒部１１’を延設するようにしてもよい。
【００１９】
なお、ケース体１は、電熱線２の加熱時にあっても溶融したり、軟化して変形しないように、例えば、難燃ＡＢＳ、ポリカーボネートなどの耐熱性材料で形成されている。
【００２０】
電熱線２は、ケース体１の内部に設けられ、着火端部ｔ１に接して該着火端部ｔ１に着火するもので、例えば、ニクロム線やカンタル線などの抵抗体であり、図３に示したように、端子３５、３５間に略直線状に張設され、該端子３５、３５間における電熱線２の寸法は、煙草ｔの外径と同程度（直径８ｍｍ〜１０ｍｍ）の長さに設定されている。なお、ニクロム線を用いる場合にあっては、線径をφ０．１０ｍｍ〜φ０．１６ｍｍとし、一直線状に張設すれば、昇温時の抵抗が約１．５Ω、電流が約１Ａ（アンペア）となって、後記する好適な温度範囲となる。
【００２１】
この電熱線２の端子３５への接合にあっては、電熱線２から端子３５への熱伝導による熱損失を可及的に抑制するため、端子３５の断面積を小さくすると共に、例えば、必要最小限のハンダを用いてハンダ付けしたり、カシメて接合するようにしてもよい。
【００２２】
電池４は、電熱線２に給電して該電熱線２を加熱するための電源であり、一次電池または二次電池のいずれであってもよく、一次電池としては、マンガン乾電池、酸化鉄・リチウム乾電池（リチウム乾電池）、アルカリマンガン乾電池、オキシライド乾電池（登録商標）などが、二次電池としては、ニッケル水素充電池、ニッケルカドミウム充電池などが用いられる。なお、電池の型式および本数は、容易に入手することができ、かつ、嵩張らないことから、単三形または単四形の１本であるのが好ましい。
【００２３】
そして、前述の電熱線２と電池４とは、回路基板３を介して接続されているもので、具体的には、回路基板３に設けられた正極接続端子３３に電池４の正極が（図３参照）、回路基板３にリードワイヤー３１を介して設けられた負極接続端子３２に電池４の負極が（図１参照）それぞれ接続されており、回路基板３には、端子３５、３５が接続されている。なお、回路基板３は、電池４から電熱線２への電力の供給を入切するスイッチを有していると共に、電熱線２へ通電する電流の制御を行うものである。
【００２４】
ところで、図３〜図５に示したように、電池式煙草着火装置Ａには、耐熱性の壁体５を備えさせることができる。この壁体５は、電熱線２を挟んで挿入孔１１とは反対側であって、該電熱線２に臨むように設けられるもので、電熱線２から発せられる輻射熱を反射（シールド）して熱損失を低減し、電熱線２の温度低下を防止する。壁体５は、難燃ＡＢＳなどの耐熱性材料で形成されている。
【００２５】
また、電熱線２による着火端部ｔ１の加熱時において、該電熱線２の温度は７００℃〜８００℃であるのが好ましい。７００℃未満であると、着火端部ｔ１が炭化するだけで着火までは至らず、８００℃を超えると、紙などの可燃物が接しただけで容易に着火してしまい、誤使用による着火の危険性が増すからである。
【００２６】
次に、上述した実施例のように構成される電池式煙草着火装置Ａの作用について、図６、図７を参照して説明する。図６は、煙草ｔを挿入孔１１に挿入する前の状態を図示したものであり、同図に矢印で示したように、着火端部ｔ１を挿入孔１１内に挿入すると、図７に示したように、着火端部ｔ１が電熱線２に当接する。このとき、挿入孔１１に筒部１１’が設けられていれば、煙草ｔが該筒部１１’の内壁に案内され、より確実に着火端部ｔ１を電熱線２に導くことができる。
【００２７】
そして、ボタン３４を押せば、回路基板３のスイッチが連動してオンとなり、電熱線２に通電されて該電熱線２が加熱され、所定の温度になるまで昇温する。このとき電熱線２に接する着火端部ｔ１も電熱線２とほぼ同じ温度になるが、単に接しただけでは容易に着火せず、喫煙者が吸引して初めて着火するもので、２〜３回吸引することにより、着火端部ｔ１に空気（酸素）が強制的に供給され、酸化反応が促進されて容易に着火するようになる。
【００２８】
なお、図４、図７において、３６は、電池４の残量を表示する電池残量表示計であり、この電池残量表示計３６に表示された電池残量を、ケース体１に設けられた窓部１２（公知の透明な耐熱性樹脂（例えば、耐熱透明ＡＢＳ等）やガラスなどで形成されている）を介して読み取ることができ、適宜電池４を交換することができる。
【符号の説明】
【００２９】
Ａ        電池式煙草着火装置
ｔ        煙草
ｔ１      着火端部
１        ケース体
１１      挿入孔
２        電熱線
４        電池
５        壁体
【図１】
2012097968.tif 000003
【図２】
2012097968.tif 000004
【図３】
2012097968.tif 000005
【図４】
2012097968.tif 000006
【図５】
2012097968.tif 000007
【図６】
2012097968.tif 000008
【図７】
2012097968.tif 000009